【手続補正書】
【提出日】平成20年3月6日(2008.3.6)
【手続補正１】
【補正対象書類名】明細書
【補正対象項目名】発明の名称
【補正方法】変更
【補正の内容】
【発明の名称】スキャナユニット
【手続補正２】
【補正対象書類名】明細書
【補正対象項目名】特許請求の範囲
【補正方法】変更
【補正の内容】
【特許請求の範囲】
【請求項１】  複数のレーザ光を発するマルチビーム光源、前記マルチビーム光源を保持するホルダー、及び、前記マルチビーム光源から発する複数のレーザ光をコリメートするコリメートレンズを具備するマルチビーム光源ユニットと、前記マルチビーム光源から発する複数のレーザ光を偏向走査するポリゴンミラーと、前記ポリゴンミラーを収容する光学箱と、を有し、前記マルチビーム光源ユニットが前記光学箱に対して取り付けられるスキャナユニットにおいて、
前記マルチビーム光源ユニットには、前記マルチビーム光源と前記コリメートレンズとの間にあって前記ホルダーに一体形成された第１絞りが設けられ、前記光学箱には、前記コリメートレンズと前記ポリゴンミラーとの間にあって前記第１絞りよりも小さな径の第２絞りが設けられていることを特徴とするスキャナユニット。
【手続補正３】
【補正対象書類名】明細書
【補正対象項目名】０００１
【補正方法】変更
【補正の内容】
【０００１】
【発明の属する技術分野】
本発明は、レーザビームプリンタ（ＬＢＰ）やデジタル複写機、デジタルＦＡＸ等の電子写真装置においてレーザビームを使用して光書き込みを行うスキャナユニットに関するものである。
【手続補正４】
【補正対象書類名】明細書
【補正対象項目名】００１７
【補正方法】変更
【補正の内容】
【００１７】
【課題を解決するための手段】
上記目的を達成するため、本発明は、複数のレーザ光を発するマルチビーム光源、前記マルチビーム光源を保持するホルダー、及び、前記マルチビーム光源から発する複数のレーザ光をコリメートするコリメートレンズを具備するマルチビーム光源ユニットと、前記マルチビーム光源から発する複数のレーザ光を偏向走査するポリゴンミラーと、前記ポリゴンミラーを収容する光学箱と、を有し、前記マルチビーム光源ユニットが前記光学箱に対して取り付けられるスキャナユニットにおいて、
前記マルチビーム光源ユニットには、前記マルチビーム光源と前記コリメートレンズとの間にあって前記ホルダーに一体形成された第１絞りが設けられ、前記光学箱には、前記コリメートレンズと前記ポリゴンミラーとの間にあって前記第１絞りよりも小さな径の第２絞りが設けられていることを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２２
【補正方法】変更
【補正の内容】
【００２２】
＜参考例＞
図１は参考例に係るレーザユニット３０の断面図であり、同図において、３８はコリメートレンズ、３９は半導体レーザ、４５はコリメータ鏡筒、５０は絞りである。
【手続補正９】
【補正対象書類名】明細書
【補正対象項目名】００２３
【補正方法】変更
【補正の内容】
【００２３】
而して、本参考例は、従来はコリメータ鏡筒４５と一体になっていた絞り５０をホルダー４６の先端に一体に設けていることを特徴とする。このとき、コリメータ鏡筒４５に絞り５０はなく、コリメータ鏡筒４５ではコリメートレンズ３８の近傍は十分な大きさの開口部を設けている。この寸法公差は従来配置していた絞りと比較して緩和される。
【手続補正１０】
【補正対象書類名】明細書
【補正対象項目名】００２４
【補正方法】変更
【補正の内容】
【００２４】
コリメータ鏡筒４５は従来の所謂２色成形品ではなく、紫外線等の光を透過する材質１色で成形する。理由は、従来では絞り５０がコリメータ鏡筒４５に具備され、絞り５０近傍ではビームが透過しないように色付にする必要があったが、本参考例では絞り５０がホルダー４６に具備されているため、コリメータ鏡筒４５全体が紫外線等を含む設計上必要な波長の光を透過する材質であって良いことによる。
【手続補正１１】
【補正対象書類名】明細書
【補正対象項目名】００２５
【補正方法】変更
【補正の内容】
【００２５】
従来、コリメータ鏡筒４５は、絞り５０を有する黒色部と接着固定用の紫外線を透過する透明部の両方を一体とした構成の所謂２色成形により作られていたが、本参考例に係るレーザユニット３０においては、絞り５０がホルダー４６側にあるために紫外線等の光を透過する材質の１色成形とすることができ、これによってレーザユニット３０の部品構成が単純になり、製作も容易化する。
【手続補正１２】
【補正対象書類名】明細書
【補正対象項目名】００２７
【補正方法】変更
【補正の内容】
【００２７】
更に、半導体レーザ３９とコリメータ鏡筒４５が相対的に３次元調整されるときに、コリメータ鏡筒４５に絞り５０がある従来例では半導体レーザ３９から絞り５０間の距離が変動してカップリング効率がばらつくが、本参考例では半導体レーザ３９〜絞り５０間が固定であるために調整時に一定であり、又、環境変化で半導体レーザ３９〜コリメートレンズ３８間が接着剤の膨張収縮等によって変動したとしても、半導体レーザ３９〜絞り５０間はホルダー材質の特性から計算される変化分以上には変動しないという効果を期待することができる。
【手続補正１３】
【補正対象書類名】明細書
【補正対象項目名】００２８
【補正方法】変更
【補正の内容】
【００２８】
＜実施の形態＞
次に本発明の実施の形態を図２に基づいて説明する。
【手続補正１４】
【補正対象書類名】明細書
【補正対象項目名】００２９
【補正方法】変更
【補正の内容】
【００２９】
図２は本実施の形態に係るレーザユニット（マルチビーム光源ユニット）３０の断面図であり、同図において、１はスキャナユニット光学系でシリンダレンズ３７とポリゴンミラー３１（図３参照）の間の光軸上に組み付けられる絞り板である。尚、図２においては、図１に示したと同一要素には同一符号を付しており、以下、それらについての説明は省略する。
【手続補正１５】
【補正対象書類名】明細書
【補正対象項目名】００３０
【補正方法】変更
【補正の内容】
【００３０】
複数のビームを走査するマルチビーム光学系では、ポリゴンミラー３１上の複数のビームスポット位置を部品公差によらない安定した位置に形成させるために、絞り５０’（第２絞り）の位置はポリゴンミラー３１により走査される直前にできるだけ近づけることが望ましい。このため、本実施の形態では、光学箱３６内部でシリンダレンズ３７とポリゴンミラー３１の間に絞り板１を配置し、該絞り板１上に所定の大きさの絞り５０’を設ける構成とした。
【手続補正１６】
【補正対象書類名】明細書
【補正対象項目名】００３１
【補正方法】変更
【補正の内容】
【００３１】
この場合には、レーザユニット３０上で原理的には絞り５０（第１絞り）は不要であるが、コリメートレンズ３８の外径やホルダー４６の先端の開口径等で設計上制約がある場合、ホルダー４６の先端にコリメートレンズ３８の外径より小さく絞り板１に設ける絞り５０’（第２絞り）の径より大きい絞り５０（第１絞り）を設けることが有効である。
【手続補正１７】
【補正対象書類名】明細書
【補正対象項目名】００３５
【補正方法】変更
【補正の内容】
【００３５】
【発明の効果】
以上の説明で明らかなように、本発明によれば、光源装置の部品構成を単純化してその製作を容易化するとともに、絞り位置の変動によるカップリング効率のばらつきを抑えられ、また、マルチビーム光学系における複数のビームスポット位置を安定させることができるという効果が得られる。
【手続補正１８】
【補正対象書類名】明細書
【補正対象項目名】図面の簡単な説明
【補正方法】変更
【補正の内容】
【図面の簡単な説明】
【図１】
本発明の参考例に係るレーザユニットの断面図である。
【図２】
本発明の実施の形態に係るレーザユニットの断面図である。
【図３】
従来のスキャナユニットの斜視図である。
【図４】
従来のレーザユニットの断面図である。
【図５】
従来の半導体レーザの構成を示す斜視図である。
【図６】
従来の２ビームレーザユニットの組付調整要領を示す斜視図である。
【符号の説明】
３０  レーザユニット（マルチビーム光源ユニット）
３１  ポリゴンミラー
３２  走査レンズ
３３  折り返しミラー
３６  光学箱
３８  コリメートレンズ
３９  半導体レーザ（マルチビーム光源）
４５  コリメータ鏡筒
４６  ホルダー
５０ 第１絞り
５０’ 第２絞り